(57)【特許請求の範囲】
【請求項１】
プラスチック製ベースフレームとプラスチック製くし歯体から構成されるかつら用クリップであって、
前記ベースフレームは、前後片及び側片からなる方形の枠部材と枠部材の後片に形成されたロック部材と側片に設けられたピン又は穴を備えており、
前記くし歯体は、基部の前方に複数のくし歯が設けられており、基部の後方には空隙を設けたバネ部を介してつまみ部が設けられ、基部の左右側部には穴又はピンが形成されており、
くし歯体とベースフレームは、回動自在に軸着され、両者はつまみ部がロック部材と係合可能な関係にあって、開放状態と挟持状態に姿勢が変更可能とされているかつら用クリップであり、
ベースフレームに設けられたロック部材は後端部に段部が形成されており、
くし歯体に備えられているくし歯とバネ部は基部で屈曲して設けられており、
バネ部は湾曲してつまみ部に連なっていて、該湾曲部分の内湾空間はベースフレームの後片を跨ぐ大きさであって、つまみ部の空隙部側の内辺が前記ロック部材の段部に係合して、ベースフレームとくし歯体は挟持状態にロックを形成することを特徴とするかつら用クリップ。
【請求項２】
ベースフレームの前後片は緩く湾曲しており、くし歯体もベースフレームの湾曲に沿うように湾曲していて、両部材が密着した挟持状態を形成することを特徴とする請求項１に記載のかつら用クリップ。
【請求項３】
くし歯体のくし歯部材には、上面及び／又は側面に凸部が形成されていることを特徴とする請求項１又は２に記載のかつら用クリップ。
【請求項４】
ベースフレーム前片の裏面に係合用凹部が形成されており、くし歯の上面に凸部が形成されており、係合凹部と係合凸部は挟持状態で係合することを特徴とする請求項１〜３のいずれかに記載のかつら用クリップ。
【請求項５】
ベースフレームの後片に形成されたロック部材は、前方内側に湾曲する腕部を備えており、開放状態方向への回動の際には、くし歯体の基部と接触して回動抵抗を発生させて、開放状態の姿勢維持機能を果たすことを特徴とする請求項１〜４のいずれかに記載のかつら用クリップ。
【請求項６】
ベースフレームの側片の厚みは、後片側が厚く前片側が薄くなるように形成されていることを特徴とする請求項１〜５いずれかに記載のかつら用クリップ。
【請求項７】
ベースフレーム前片裏面とくし歯体のくし歯上面は、梨地状態とすることを特徴とする請求項１〜６のいずれかに記載のかつら用クリップ。
【請求項８】
かつら取り付け用の穴を、くし歯体のつまみ部及びベースフレームの前片に形成したことを特徴とする請求項１〜７のいずれかに記載のかつら用クリップ。
【請求項９】
請求項１〜８のいずれかに記載のかつら用クリップを取り付けたかつら製品及びヘアーアクセサリー。
【発明の詳細な説明】
【技術分野】
【０００１】
本発明は、かつらを頭部に装着するために用いられるかつら用クリップに関する。
【背景技術】
【０００２】
金属製のクリップが通常用いられている。かつら用クリップとして、薄い金属板を略コ字状に形成したもの同士をたわめて連結し、湾曲して反転可能な板枠状としたベースフレームと、このベースフレームの長手方向に相対向して配置されたくし歯体を設け、湾曲を反転させることにより、くし歯体とベースフレームを離間、密着の状態変更をする構造ものが利用されている。  例えば、特許文献１（特開平１１−１８１１号公報）、特許文献２（特開２００６−３７２７８号公報）を例示することができる。図７に従来例を示すと、金属板バネ１１８と金属製くし歯１１４を設けたくし歯体１１５とを、はと目１１６にて湾曲して撓むように組み付けてかつら用クリップ１１０を構成している。このかつら用クリップ１１０を図（ｃ）に示す矢印ｂ方向に反転することによって、くし歯１１４と金属板バネ１１８を密着して、間に自毛を挟持する構造である。このかつら用クリップ１１０は、図８に示すようにかつらの縁１２０に複数取り付けられて使用される。
これらの湾曲板バネとくし歯を組み合わせた反転タイプの金属製かつら用クリップは、薄く、自毛とかつらを挟み込んで止着する作用が優れているので普及している。機能的には優れているが、金属アレルギーや金属探知機への反応などへの対応が検討されている。
例えば、特許文献３（特開２０１１−１４９１１０号公報）では、ポリアミドイミドを材料に用いてベース部と挟持部とを一枚板から一体に形成したかつら用ストッパを提案している。特許文献４（特開２０１１−２６７３７号公報）には、金属探知機に反応しにくいチタン合金を用いることが提案されている。
これらの提案は、挟持力が不十分であり、金属を用いない安定したかつら用クリップの開発が求められている。
【先行技術文献】
【特許文献】
【０００３】
【特許文献１】特開平１１−１８１１号公報
【特許文献２】特開２００６−３７２７８号公報
【特許文献３】特開２０１１−１４９１１０号公報
【特許文献４】特開２０１１−２６７３７号公報
【発明の概要】
【発明が解決しようとする課題】
【０００４】
本発明は、金属探知機に検知されないプラスチック製のかつら用クリップを開発することを目的とする。
【課題を解決するための手段】
【０００５】
本発明は、くし歯とベースフレームをプラスチック製で構成したかつら用クリップである。本発明の主な構成は、次のとおりである。
（１）プラスチック製ベースフレームとプラスチック製くし歯体から構成されるかつら用クリップであって、前記ベースフレームは、前後片及び側片からなる方形の枠部材と枠部材の後片に形成されたロック部材と側片に設けられたピン又は穴を備えており、前記くし歯体は、基部の前方に複数のくし歯が設けられており、基部の後方には空隙を設けたバネ部を介してつまみ部が設けられ、基部の左右側部には穴又はピンが形成されており、くし歯体とベースフレームは、回動自在に軸着され、両者はつまみ部がロック部材と係合可能な関係にあって、開放状態と挟持状態に姿勢が変更可能とされているかつら用クリップであり、ベースフレームに設けられたロック部材は後端部に段部が形成されており、くし歯体に備えられているくし歯とバネ部は基部で屈曲して設けられており、バネ部は湾曲してつまみ部に連なっていて、該湾曲部分の内湾空間はベースフレームの後片を跨ぐ大きさであって、つまみ部の空隙部側の内辺が前記ロック部材の段部に係合して、ベースフレームとくし歯体は挟持状態にロックを形成することを特徴とするかつら用クリップ。
（２）ベースフレームの前後片は緩く湾曲しており、くし歯体もベースフレームの湾曲に沿うように湾曲していて、両部材が密着した挟持状態を形成することを特徴とする（１）に記載のかつら用クリップ。
（３）くし歯体のくし歯部材には、上面及び／又は側面に凸部が形成されていることを特徴とする（１）又は(2)に記載のかつら用クリップ。
（４）ベースフレーム前片の裏面に係合用凹部が形成されており、くし歯の上面に凸部が形成されており、係合凹部と係合凸部は挟持状態で係合することを特徴とする（１）〜（３）のいずれかに記載のかつら用クリップ。
（５）ベースフレームの後片に形成されたロック部材は、前方内側に湾曲する腕部を備えており、開放状態方向への回動の際には、くし歯体の基部と接触して回動抵抗を発生させて、開放状態の姿勢維持機能を果たすことを特徴とする（１）〜（４）のいずれかに記載のかつら用クリップ。
（６）ベースフレームの側片の厚みは、後片側が厚く前片側が薄くなるように形成されていることを特徴とする（１）〜（５）いずれかに記載のかつら用クリップ。
（７）ベースフレーム前片裏面とくし歯体のくし歯上面は、梨地状態とすることを特徴とする（１）〜（６）のいずれかに記載のかつら用クリップ。
（８）かつら取り付け用の穴を、くし歯体のつまみ部及びベースフレームの前片に形成したことを特徴とする（１）〜（７）のいずれかに記載のかつら用クリップ。
（９）（１）〜（８）のいずれかに記載のかつら用クリップを取り付けたかつら製品及びヘアーアクセサリー。
【発明の効果】
【０００６】
くし歯体とベースフレームの形状と組み合わせの構成を工夫することにより、かつらを自毛に装着する挟持力を十分に発揮できるプラスチック製のかつら用クリップを実現することができた。本発明は、つまみ片を操作することにより開閉することができ、操作性が良好である。
樹脂製のクリップは軽量なので着けている違和感がなく、頻繁に使用しても毛根に負担が少なく、止め具で発生する脱毛が出ない。
本発明のプラスチック製クリップは、開閉挟持タイプの構造を採用し、数ミリメートルの開放空間を確保できるようにして、開閉操作の簡便性を確保した。湾曲バネ構造を設けてロック状態を形成しているので、アンロック時にバネの復元力を利用したのでスムーズに開放できる。梨地表面とすることによって、毛が絡みやすくなる。また、梨地の表面のざらつきを触って確認することができるので、操作部分が確認しやすくなる。
このプラスチック製かつら用クリップを開いた状態で、糸をもちいてかつら製品及びヘアーアクセサリーなどに取り付けることができ、取付け作業が便利である。
かつらを装着した状態で金属探知機を通過することができるので、不本意にかつらを外す必要が無く、かつら利用者のQuality of Life（ＱＯＬ）が向上する。金属探知機などの金属が検知されるものは、飛行機の搭乗手続き、裁判所の入門検査など重要な箇所への人門検査に用いられる他、病院のＭＲＩ検査などでも対象となる。
本発明のプラスチック製かつら用クリップは、金属アレルギーの人にも使用できる。抗がん剤を使用する人は、皮膚が敏感に反応する為、特に金属金具部分が冷たく感じるので嫌がられたが樹脂製なので、金属ピンのような冷たさがないので、有効である。抗ガン剤使用の脱毛者のかつら使用の利便性を向上させることができる。金属製に比べて折れることが少ないので、けが事故の危険性が低下する。
また、樹脂の中に顔料を入れるので、塗膜剥離による変色が発生しない。金属製は、塗膜剥がれによって変色し、金属が目立ってかつら利用が暴露するリスクがある。
【図面の簡単な説明】
【０００７】
【図１】本発明のかつら用クリップの例であって、開状態を示す図。
【図２】本発明のかつら用クリップの例であって、閉状態を示す図。
【図３】本発明のかつら用クリップの例であって、ベースフレームの例を示す図。
【図４】本発明のかつら用クリップの例であって、くし歯体の例を示す図。
【図５】本発明のかつら用クリップの例であって、開閉状態の変化を示す図。
【図６】本発明のかつら用クリップの例であって、くし歯の突起の別例を示す図。
【図７】従来の金属製反転タイプのかつら用クリップを示す図。
【図８】かつら用クリップをかつらの縁に取り付けた状態を示す図。
【発明を実施するための形態】
【０００８】
本発明のカツラは、プラスチック製かつら用クリップである。方形の枠体からなるベースフレームとベースフレームに軸着したくし歯体を組み合わせてかつら用クリップを構成した。ベースフレームとくし歯体を密着した状態に姿勢を固定するロック機構を備えている。かつら用クリップをかつらなどに取付け、かつらを頭部に被冠してベースフレームとくし歯体の間に自毛を挟み込んで密着姿勢にロックすることにより、かつらを頭部に装着することができる。
前後左右の枠体からなるベースフレームの側枠とくし歯体の中間にある基部とを軸着する。くし歯体は基部の前方に複数のくし歯を備え、後方には湾曲したバネ部を介してつまみ部を備えている。軸着されたくし歯体は、くし歯の上面がベースフレームの前枠の下面と接触し、バネ部の湾曲がベースフレームの後枠上面を乗り越える構成となっている。くし歯と前枠が接触した状態のとき、バネ部の湾曲は後枠を完全に越えることができない形状に設計されている。つまみ部を下方に押し下げてバネを撓ませることにより、後枠側につまみ部を移動させて、ロックすることにより絞り込んだバネの反力がくし歯と前枠を強く密着させる源となる。挟持力を十分に発揮できるプラスチック製かつら用クリップである。
本発明は、全体をプラスチック製にしたので、金属探知機を気にする必要が無い。また、アレルギーなどの弊害も発生しない。折れた金属片が頭部を傷つけることもないので安全性が向上する。軽量であるので、装着違和感が無い。
このかつら用クリップは、かつら、ウィッグ等の頭飾品を自毛に取り付ける道具として用いることができる。例えば、かつらに取り付けた例は図８に示す従来例と同様である。本発明のかつら用クリップを利用することにより、空港などで不本意にかつらを取り外す必要が無くなるので、かつらなどの利用者のＱＯＬを向上させることができる。
かつら、ウィッグ、エクステ用付け毛、カチューシャ、リボン、ブーケなどの頭飾品や髪飾り等を取り付けるクリップとして本発明は有効である。
【０００９】
プラスチックとしては、  ポリアセタール樹脂（POM）、ポリエチレンテレフタレート（PET）、塩化ビニル樹脂（PVC）、EVAC、  ポリプロピレン（PP）、ＡＳ樹脂（SAN）、ＡＢＳ樹脂（ABS）、アクリル樹脂（PMMA）、ポリカーボネード（PC）、ポリアミド（PA）、ポリブチレンテレフタレート（PBT）、ポテトラフロロエチレン（PTFE）、フェノール樹脂（PF）、メラミン樹脂（MF）、ユリア樹脂（UF）、PUR、エポキシ樹脂（EP）、不飽和ポリエステル樹脂（UP）、ポリエチレン（PE）、ポリエーテルエーテルケトン（PEEK）、アイオノマー樹脂（IO）、ポリ塩化ビニリデン（PVDC）、ポリフェニレンスルファイド（PPｓ）、VF、ALK、VP、PABI、PDAE等を利用することができる。頭部に接触するので、汗や頭髪化粧料に曝されるので耐薬品性のプラスチックて適している。
【００１０】
本発明のカツラは、主に男性用カツラに適用される。薄毛の進行は、額側から頭頂部にかけて薄くなるパターンが多く、年月を経るに従い範囲が広がる傾向がある。本発明は、この薄毛パターンの進行に適するカツラを提供することができる。
【００１１】
本発明のカツラの態様についてカツラベースを主として図に基づいて説明する。
図１は、開状態を示すかつら用クリップの例である。図２は、密着した閉状態を示すかつら用クリップの例である。図３は、ベースフレームの例である。図４は、くし歯体の例である。図５は、かつら用クリップの開閉状態の変化を示す。図示の例は、ポリアセタール樹脂（POM）を用いて製造した。
【００１２】
＜ベースフレーム＞
図３にベースフレーム２の例を示す。（ａ）に斜視図、（ｂ）に側面図、（ｃ）に平面図、（ｄ）に正面図、（ｅ）に背面図を示している。
ベースフレーム２は、前枠２１ａ、側枠２１ｂ，２１ｂ、後枠２１ｃを備えた枠部材２１及び後枠２１ｃの中間部にロック部材２５、開口部２４側であって側枠２１ｂの対向する位置に突起状のピン２２が設けられている。側枠２１ｂは、後枠２１ｃ側の厚みを太く、前枠２１ａ側を薄く形成されている。前枠２１ａと後枠２１ｃは、正面図（ｄ）に示されるように、中央部が高くなるように湾曲している。前枠２１ａの下面には必要に応じて溝状の係合凹部２３が複数設けられる。ロック部材２５は、ベースフレームの上面２８側に設けられる。ロック部材２５は、基部２６が後枠２１ｃの中間の上方に形成され、基部２６の頂部から後面にかけて曲面に仕上げられた背面カーブ２６ａに形成され、背面カーブ２６ａの後端は、係止段部２６ｂが形成されている。基部２６の前方には、必要に応じて腕部２７が設けられる。腕部２７は、内側に曲げた湾曲部２７ｃを介して先端が腕部先端２７ａとなっている。
本例では、前枠２１ａの左右の隅部に取り付けようの穴４１，４１が形成されている。この穴４１を利用してかつら等の縁部に逢着等の処理を行う。
【００１３】
ベースフレーム２は、突起状のピン２２に後述するくし歯体３を回動自在に軸着して組み立てられて、かつら用クリップ１を構成する。ベースフレーム２の開口部２４内を側片２１ｂと交差してくし歯体３が軸着され、くし歯体の後片側がロック部材の背面カーブ２６ａを乗り越えて後枠２１ｃに接触して、係止段部２６ｂと係合し、停止状態となる。一方、くし歯体３の前片側であるくし歯部材の上面がベースフレームの下面２９側に存在し、ロック部材２６の係合段部２６ｂと係合すると、くし歯部材上面は押し上げられて前枠２１ａの下面に押し当てられた状態に当接する。くし歯部材と当接する枠部材の下面部は凹凸や梨地状態に形成され、毛髪の滑り止めと絡まりやすい状態に仕上げることが好ましい。腕部２７は、くし歯体の基部と軽く接触するように湾曲しており、ベースフレームに対するくし歯体の姿勢を一時停止させる機能を果たす。
【００１４】
＜くし歯体＞
図４にくし歯体３の例を示す。（ａ）に斜視図、（ｂ）に側面図、（ｃ）に平面図、（ｄ）に正面図、（ｅ）に背面図を示している。
くし歯体３は、左右端に穴状の軸穴３４が設けられた基部３９の前方にくし歯部材３１を、基部３９の後方にくし歯部材３１に対して仰角をもった状態に延出した湾曲バネ部３２を介してつまみ部３３が設けられている。
正面図（ｄ）に現れるように、基部３９は中央部が上方に湾曲した形状をしており、複数のくし歯部材３１，３１，・・・の背面及び先端部も同様に湾曲ラインを形成している。そして、後方のつまみ部３３も湾曲している。この湾曲は、ベースフレームの湾曲と同様であり、両者が当接した場合に、密着するように形成されている。
基部３９から前方に伸びたくし歯部材３１の上面には、必要に応じて基部凸部３６ｃ，３６ｃ、中間凸部３６ｂ，３６ｂ、先端凸部３６ａの各突状部が設けられている。中間凸部３６ｂは、ベースフレーム２の前枠２１ａに設けられた溝状の係合凹部２３に対応して設けられ、当接時に両者ははまり込む関係にある。これらの凸状部は毛髪が絡まり抵抗となって、かつらの取付けが安定する機能を果たす。
図６にくし歯部材３１に縦突起４６と横突起４７を設けた例を示す。くし歯部材に設ける凸部や突起の形状、取付け方向は横部位、縦部位、縦と横の双方など任意である。形状、大きさ、個数についても任意である。
ベースフレームに腕部２７を設ける場合は、この腕部２７と当接することとなる基部３９の中央部には、くし歯部材３１を設けずに切欠３８を形成する。
【００１５】
基部３９から後方に角度をつけて延出する湾曲バネ部３２は、仰角の角度と、中間部に設けた空隙３７の大きさと厚さを調整してバネ力を調整する。湾曲バネ部３２の湾曲内面はベースフレームの後枠２１ｃを抱え込む大きさに形成されており、つまみ部３３を押し下げてロック部材の係止段部２６ｂに係合するとバネ部は引き締められて基部を支持軸として前方のくし歯部材３１を押し上げる反力を発生させることができる。つまみ部３３の空隙３７側辺が係止受部３５となって、係止段部２６ｂと当接する。この反力が、くし歯部材上面とベースフレームの前枠とを密着当接させて、挟持押圧の源泉となる。
本例では、つまみ部３３の左右の隅部に取り付け用の穴４２，４２が形成されている。この穴４２を利用してかつら等の縁部取り付けることができる。
なお、基部３９とベースフレームの側枠２１ｂは回動可能に軸支持される関係であれば良いので、一方が凸状突起、他方が受けとなる穴状の凹部の関係であれば良く、上記例は反転しても良い。
【００１６】
＜ベースフレームとくし歯体の組み合わせ＞
図１は、開状態を示すかつら用クリップの例である。図２は、密着した閉状態を示すかつら用クリップの例である。それぞれ（ａ）に斜視図、（ｂ）に側面図、（ｃ）に平面図、（ｄ）に正面図、（ｅ）に背面図を示している。図５は、かつら用クリップの開閉状態の変化を側面図で示す。
くし歯体３を撓ませて軸穴３４をベースフレーム２の突起状のピン２２に組み付けて、軸支させた状態が図１である。図１（ｂ）に示された側面図には、くし歯部材３１と側枠２１ｂが交差して、前枠２１ａと離間している状態である。くし歯体３の基部３９の中央部の切欠３８とロック部材２５の腕部２７の湾曲部２７ｂが軽く当接して、一時係止状態となっている。腕部２７が切欠３８と当接している状態が図１（ａ）（ｃ）（ｄ）（ｅ）に示されている。
この状態でかつら用クリップを自毛の中に挿入すると、くし歯体３１とベースフレーム２の間に毛髪が進入することとなる。
【００１７】
くし歯体３のつまみ部３３を押し込んで係止受部３５をロック部材２５の係止段部２６ｂに係合させた状態である。つまみ部３３の内辺がロック部材２５の背面カーブ２６ａに倣って滑り係止段部２６ｂに当接する際に「カチ」と音が発生して、挟み込み作業が終了したことを音で確認することができる。かつらの利用者が自らかつらを脱着することが容易になる。
図２（ｄ）に示されるように、くし歯部材３１とベースフレーム２が密着当接した状態では、湾曲した曲面がしっかりと密着している。中央が上方に湾曲しているので、抱え込まれた毛髪は中央側に寄せられるように教示され、安定性が向上する。
【００１８】
図５に、開状態（ａ）と閉状態（ｂ）の姿勢変更を示している。くし歯体３はベースフレーム２の突起状ピン２２に軸着されている。図（ａ）はくし歯体側の湾曲バネ部３２に接続するつまみ部３３がロック部材２５の背面２６ａを滑りながら係止段部２６ｂに向かっている様子が示されている。図（ｂ）は、つまみ部３３が係止段部２６ｂに契合してロックされた状態を示している。空隙３７の両側に設けられた湾曲バネ部３２が絞られた状態となっており、支持軸であるピン２２を支点として、複数のくし歯部３１が前枠２１ａの下面に押しつけられている。くし歯部３１に設けられた中間凸部３６ｂ，３６ｂは前枠２１ａの下面に設けられた溝状の係合凹部２３に進入する。基部凸部３６ｃ，３６ｃは枠部材２１の開口部２４に位置し、先端凸部３６ａは、前枠２１の前方に位置している。
【００１９】
図５（ｂ）の状態で、毛髪を挟持すると湾曲バネ３２の力によって、強く挟み込まれるとともに、毛髪が凸部（３６ａ、３６ｂ、３６ｃ）にホールドされて抜け止め力が大きくなる。また、ベースフレームとくし歯部材の対向面を梨地仕上げすることによって、毛髪の抜け止め抵抗を増加させることができる。
この対向面に設けた梨地のざらつきや凸部（３６ａ、３６ｂ、３６ｃ）と係合凹部２３によって、利用者は挟持面を触感にて容易に判断できる。
挟持状態を解除する場合は、ロック部材の上面を押さえながらつまみを引き上げるとロックを解除することができる。勿論、再装着使用もできるので、かつらの着脱は利用者が自由に行うことができる。
【００２０】
本例は、ポリアセタール樹脂（POM）を用いて製造したかつら用クリップである。金属の反転力を利用したのではなく、合成樹脂の弾性変形力を利用して、湾曲バネ状に形成し、この湾曲バネを引き絞ってロックすることにより挟圧力を発生させている。このクリップを図８に示すようにかつらに取り付けて頭に装着して、金属探知機の検査試験を行ったところ、探知されずにスルーすることができた。したがって、飛行機の搭乗手続きや、出入国手続き及び重要な施設への出入りを安心して行うことができる。本例のかつらは金属製よりも非常に軽く、違和感が少ない。付け毛のような部分頭飾品の場合に、金属重量物では、増毛した部分の動きに違和感が出ることがあり、装着方法に工夫が必要であるが、本例は回りの毛髪と同調し違和感が無く、自由度が向上する。かつら使用者の精神的安定を保つことができ、日常生活の質を向上させることができる。
本例は、金属アレルギー患者でもかつらの使用が可能となり、病院の検査、治療でもかつらを装着したまま受診することが可能となる。
【符号の説明】
【００２１】
１  カツラ用クリップ
２  ベースフレーム
２１  枠部材
２１ａ  前枠
２１ｂ  側枠
２１ｃ  後枠
２２  ピン
２３  係合凹部
２４  開口部
２５  ロック部材
２６  基部
２６ａ  背面カーブ
２６ｂ  係止段部
２７  腕部
２７ａ  腕部先端
２７ｂ  湾曲部
２８  上面
２９  下面
３  くし歯体
３１  くし歯部材
３２  湾曲バネ部
３３  つまみ部
３４  軸穴
３５  係止受部
３６ａ  先端凸部
３６ｂ  中間凸部
３６ｃ  基部凸部
３７  空隙
３８  切欠
３９  基部
４１  穴
４２  穴
４６  縦突起
４７  縦突起
１１０  かつら用クリップ
１１８  金属板バネ
１１４  くし歯
１１５  くし歯体
１１６  はと目
１２０  かつらの縁
【要約】
【課題】金属探知機に検知されないプラスチック製のかつら用クリップを開発することを目的とする。
【解決手段】プラスチック製ベースフレームとプラスチック製くし歯体から構成されるかつら用クリップであって、前記ベースフレームは、前後片及び側片からなる方形の枠部材と枠部材の後片に形成されたロック部材と側片に設けられたピン又は穴を備えており、前記くし歯体は、基部の前方に複数のくし歯が設けられており、基部の後方には空隙を設けたバネ部を介してつまみ部が設けられ、基部の左右側部には穴又はピンが形成されており、くし歯体とベースフレームは、くし歯体とベースフレームは回動自在に軸着され、両者はつまみ部がロック部材と係合可能な関係にあって、開放状態と挟持状態に姿勢が変更可能とされているかつら用クリップ。
【選択図】図５【図１】
0005135478.tif 000002
【図２】
0005135478.tif 000003
【図３】
0005135478.tif 000004
【図４】
0005135478.tif 000005
【図５】
0005135478.tif 000006
【図６】
0005135478.tif 000007
【図７】
0005135478.tif 000008
【図８】
0005135478.tif 000009